(57)【要約】【課題】  情報端末に接続した携帯情報端末自身をマウスのような入力装置として扱い、携帯情報端末の姿勢を変化させることにより、ファイルの閲覧や伝送を容易にすることができる携帯情報端末を提供する。【解決手段】  構造体の姿勢を検出する検出手段１０１と、検出手段によって検出された構造体の姿勢を電気信号として受け取り、受け取った電気信号に基づいて特定される構造体の姿勢が所定の姿勢であるか否かを判断する判断手段１０２と、判断手段によって構造体の姿勢が所定の姿勢であると判断された場合に、構造体が有する情報を情報端末へ伝送する制御手段１０３とを備える。【選択図】  図１
2005284657.tif 000002
【特許請求の範囲】
【請求項１】
情報端末に接続可能であり、所定の構造体及び記憶手段を有し、前記記憶手段に格納されている情報を前記情報端末に伝送し、伝送された前記情報を前記情報端末にて表示することにより前記情報を閲覧可能とする携帯情報端末において、
前記構造体の姿勢を検出する検出手段と、
前記検出手段によって検出された前記構造体の姿勢を電気信号として受け取り、受け取った前記電気信号に基づいて特定される前記構造体の姿勢が所定の姿勢であるか否かを判断する判断手段と、
前記判断手段によって前記構造体の姿勢が所定の姿勢であると判断された場合に、前記記憶手段に格納された前記情報を前記情報端末へ伝送する制御手段とを、
備えることを特徴とする携帯情報端末。
【請求項２】
前記検出手段は、３次元空間における前記構造体の位置を検出する磁気センサと前記構造体の回転を検知する加速度器とから構成されることを特徴とする請求項１に記載の携帯情報端末。
【請求項３】
前記検出手段によって検出された前記構造体の姿勢を前記電気信号として受け取り、受け取った前記電気信号に基づいて、前記構造体を視覚的に認識できる自身画像情報を生成する画像生成手段をさらに備え、
前記制御手段は、前記画像生成手段によって生成された前記自身画像情報を前記情報端末に表示させるために、前記自身画像情報及び前記自身画像情報の表示指示である表示指示信号を送信することを特徴とする請求項１又は２に記載の携帯情報端末。
【請求項４】
前記判断手段は、前記制御手段によって前記記憶手段に格納された前記情報が伝送された後に、前記検出手段によって検出された前記構造体の姿勢を電気信号として受け取り、受け取った前記電気信号に基づいて特定される前記構造体の姿勢が所定の姿勢であるか否かを判断し、
前記制御手段は、前記判断手段によって前記構造体の姿勢が所定の姿勢であると判断された場合に、前記情報端末に伝送された前記情報を表示させるために、前記情報の表示指示である表示指示信号を送信することを特徴とする請求項１から３のいずれか１つに記載の携帯情報端末。
【請求項５】
外部からの前記構造体に対する振動を検知する検知手段をさらに備え、
前記制御手段は、前記検知手段によって外部からの前記構造体に対する前記振動が検知された場合に、前記情報端末に表示されている前記情報を他の情報に切り替えさせるために、前記他の情報の表示指示である表示指示信号を送信することを特徴とする請求項４に記載の携帯情報端末。
【請求項６】
前記画像生成手段は、前記制御手段が前記記憶手段に格納された前記情報を伝送する際に、前記構造体から前記情報端末への前記情報の伝送過程を視覚的に認識できる伝送画像情報を生成し、
前記制御手段は、前記構造体が有する情報と共に、生成された前記伝送画像情報を前記情報端末において表示させるために、前記伝送画像情報及び前記伝送画像情報の表示指示である表示指示信号を送信することを特徴とする請求項１から５のいずれか１つに記載の携帯情報端末。
【発明の詳細な説明】
【技術分野】
【０００１】
本発明は、自身の所定の記憶領域に格納された情報を情報端末に伝送して情報端末において閲覧させる携帯情報端末に関する。
【背景技術】
【０００２】
従来、携帯情報端末内部のファイルの内容をユーザが閲覧するには、携帯情報端末上の表示部を用いていた。このため、使用できる表示部は携帯性を考慮して大きさが制限され、閲覧の環境が良好であるとは言えなかった。そこで、閲覧の環境を良好にするため、携帯情報端末内部のファイルをパソコンなどの情報端末に伝送し、伝送されたファイルを情報端末上に表示して閲覧することを可能にする技術が開発された。しかし、このような方法で閲覧するためには、情報端末の操作を習得する必要があり、このような情報端末の操作の習得は、必ずしもすべての携帯情報端末のユーザにとって容易ではない。また、携帯情報端末から情報端末へのファイルの伝送は、通常の情報端末のユーザにとっても直感的に容易に行える操作ではなく、ある程度の操作の習得が必要である。上述したような問題を解決するために、情報端末へのデータ伝送を携帯情報端末に標準で用意されている編集機能によって行えるようにする技術がある。このような技術が下記の特許文献１に開示されている。
【特許文献１】特開平１１−１２６１４２号公報（図１、図７）
【発明の開示】
【発明が解決しようとする課題】
【０００３】
しかしながら、特許文献１に開示されているような技術によっても、携帯情報端末が有するデータ編集機能がもともと容易ではないといった問題がある。
【０００４】
本発明は、上記問題を解決するためのものであり、情報端末に接続した携帯情報端末自身をマウスのような入力装置として扱い、携帯情報端末の姿勢を変化させることにより、ファイルの閲覧や伝送を容易にすることができる携帯情報端末を提供することを目的とする。
【課題を解決するための手段】
【０００５】
上記目的を達成するために、本発明によれば、情報端末に接続可能であり、所定の構造体及び記憶手段を有し、前記記憶手段に格納されている情報を前記情報端末に伝送し、伝送された前記情報を前記情報端末にて表示することにより前記情報を閲覧可能とする携帯情報端末において、前記構造体の姿勢を検出する検出手段と、前記検出手段によって検出された前記構造体の姿勢を電気信号として受け取り、受け取った前記電気信号に基づいて特定される前記構造体の姿勢が所定の姿勢であるか否かを判断する判断手段と、前記判断手段によって前記構造体の姿勢が所定の姿勢であると判断された場合に、前記記憶手段に格納された前記情報を前記情報端末へ伝送する制御手段とを備えることを特徴とする携帯情報端末が提供される。
【０００６】
また、本発明の携帯情報端末における前記検出手段が、３次元空間における前記構造体の位置を検出する磁気センサと前記構造体の回転を検知する加速度器とから構成されることは、本発明の好ましい態様である。
【０００７】
また、本発明の携帯情報端末における前記検出手段によって検出された前記構造体の姿勢を前記電気信号として受け取り、受け取った前記電気信号に基づいて、前記構造体を視覚的に認識できる自身画像情報を生成する画像生成手段をさらに備え、前記制御手段が、前記画像生成手段によって生成された前記自身画像情報を前記情報端末に表示させるために、前記自身画像情報及び前記自身画像情報の表示指示である表示指示信号を送信することは、本発明の好ましい態様である。
【０００８】
また、本発明の携帯情報端末における前記判断手段が、前記制御手段によって前記記憶手段に格納された前記情報が伝送された後に、前記検出手段によって検出された前記構造体の姿勢を電気信号として受け取り、受け取った前記電気信号に基づいて特定される前記構造体の姿勢が所定の姿勢であるか否かを判断し、前記制御手段が、前記判断手段によって前記構造体の姿勢が所定の姿勢であると判断された場合に、前記情報端末に伝送された前記情報を表示させるために、前記情報の表示指示である表示指示信号を送信することは、本発明の好ましい態様である。
【０００９】
また、本発明の携帯情報端末において、外部からの前記構造体に対する振動を検知する検知手段をさらに備え、前記制御手段が、前記検知手段によって外部からの前記構造体に対する前記振動が検知された場合に、前記情報端末に表示されている前記情報を他の情報に切り替えさせるために、前記他の情報の表示指示である表示指示信号を送信することは、本発明の好ましい態様である。
【００１０】
また、本発明の携帯情報端末における前記画像生成手段が、前記制御手段が前記記憶手段に格納された前記情報を伝送する際に、前記構造体から前記情報端末への前記情報の伝送過程を視覚的に認識できる伝送画像情報を生成し、前記制御手段が、前記構造体が有する情報と共に、生成された前記伝送画像情報を前記情報端末において表示させるために、前記伝送画像情報及び前記伝送画像情報の表示指示である表示指示信号を送信することは、本発明の好ましい態様である。
【発明の効果】
【００１１】
本発明の携帯情報端末は、上記構成を有し、自身の姿勢を変化させることによりファイルの閲覧や伝送を容易にすることができる。
【発明を実施するための最良の形態】
【００１２】
以下、本発明の実施の形態について、図１から図６を用いて説明する。図１は、本発明の実施の形態に係る携帯情報端末の構成について説明するための図である。図２（ａ）は、本発明の実施の形態に係る携帯情報端末と携帯情報端末が有する情報を表示させる情報端末とがケーブルによって接続された閲覧システムを示す図である。図２（ｂ）は、本発明の実施の形態に係る携帯情報端末における基準データについて説明するための図である。図３は、本発明の実施の形態に係る携帯情報端末が有する情報の情報端末における表示について説明するための図である。図４は、本発明の実施の形態に係る携帯情報端末が有する情報の情報端末における表示の切り替えについて説明するための図である。図５は、本発明の実施の形態に係る携帯情報端末から情報端末への情報の転送過程を視覚的に示した場合について説明するための図である。図６は、本発明の実施の形態に係る携帯情報端末の処理フローについて説明するためのフローチャートである。
【００１３】
まず、本発明の実施の形態に係る携帯情報端末と携帯情報端末が有する情報を表示させる情報端末とがケーブルによって接続された閲覧システムについて図２（ａ）を用いて説明する。図２（ａ）に示すように、閲覧システムは、携帯情報端末１００、情報端末２００、ケーブル１０７から構成されており、携帯情報端末１００と情報端末２００とはケーブル１０７によって接続されている。ケーブル１０７は、例えば携帯情報端末１００及び情報端末２００の不図示のＵＳＢ（Universal Serial Bus）ポートに接続される。ここで、携帯情報端末１００とは、例えば携帯電話端末、ＰＤＡ、デジタルカメラなどを言う。また、情報端末２００とは、例えばＰＣなどを言う。なお、携帯情報端末１００と情報端末２００とはケーブル１０７によって接続されているが、有線でなく無線によって接続されるようにしてもよい。
【００１４】
次に、携帯情報端末１００の構成について図１を用いて説明する。図１に示すように、携帯情報端末１００は、検出部１０１、判断部１０２、制御部１０３、画像生成部１０４、検知部１０５、記憶部１０６から構成されている。これら各部はバス１０８によってつながれている。また、各部の動作を制御するためのプログラムが不図示の所定の記憶領域に記憶されている。また、外部（情報端末２００）との情報通信は、不図示のインターフェースを介して行われている。検出部１０１は構造体の姿勢を検出する。ここで、構造体とは携帯情報端末１００の筺体、基板、支持体などを言う。以下、構造体を単に携帯情報端末１００とも言う。検出部１０１は、例えば磁気センサ及び加速度計を有した検出器であって構造体の姿勢データを検出している。ここで、検出部１０１は、あらかじめ位置がわかっているポイントからの距離を測定する磁気センサによって３次元空間内での携帯情報端末１００の位置を検出し、携帯情報端末１００の回転を加速度計によって検知する。なお、回転を検知する手段としてジャイロスコープを用いてもよい。
【００１５】
判断部１０２は、検出部１０１によって検出された構造体の姿勢を電気信号として受け取り、受け取った電気信号に基づいて所定の姿勢であるか否かを判断する。具体的には、判断部１０２は、図２（ｂ）に示すように、例えば不図示の磁気センサ及び加速度計から構成される検出部１０１から受け取った携帯情報端末１００の３次元空間における位置の情報と傾き（回転）の情報とに基づいて携帯情報端末１００の姿勢を認識する。ここで、磁気センサによる携帯情報端末１００の３次元空間における位置の情報は、例えば携帯情報端末１００の中心部における３次元空間の位置の情報である。例えば、図２（ｂ）に示すように、携帯情報端末１００がｘ軸、ｙ軸、ｚ軸の３次元空間内に置かれている場合に、検出部１０１の磁気センサは、あらかじめ既知のポイントからの距離を磁気の強度などに基づいて測定し、加速度計は携帯情報端末１００の傾きを検知する。例えば、携帯情報端末１００の底面２０１がｘｙ平面２０２に平行で、携帯情報端末１００の側面２０３がｙｚ平面２０４に平行である場合を傾き無しとする。そうすると、図２（ｂ）に示す携帯情報端末１００の傾きは無しとなる。
【００１６】
ここで、所定の姿勢であるか否かを判断するための基準データは、後述する記憶部１０６に記憶されている。基準データとは、例えば図２（ｂ）のような状態において、携帯情報端末１００の底面２０１の一辺２０５を軸として、携帯情報端末１００をｘ軸の正の方向へ０度から４５度まで傾けたときの加速度計の傾きデータを言う。携帯情報端末１００が一辺２０５を軸として４５度以上傾いた場合には、加速度計の傾きデータは基準データとして存在しないため、判断部１０２は所定の姿勢であると判断する。ここでは、検出された姿勢の加速度計の傾きデータが基準データに存在しない場合に判断部１０２は所定の姿勢であると判断しているが、基準データに存在する場合に所定の姿勢であると判断するようにしてもよい。すなわち、基準データが０から６０度までの傾きの加速度計の傾きデータであるとき、一辺２０５を軸とする携帯情報端末１００の傾きが６０度以内であって、加速度計の傾きデータが基準データに存在する場合に、判断部１０２は所定の姿勢であると判断するようにしてもよい。
【００１７】
また、判断部１０２は、後述する制御部１０３によって携帯情報端末１００が有する情報が伝送された後に、検出部１０１によって検出された携帯情報端末１００の姿勢が所定の姿勢であるか否かを判断する。この場合に所定の姿勢とは、上述した所定の姿勢ではなく、例えば図２（ｂ）に示すように、携帯情報端末１００が携帯情報端末１００の底面２０１の一辺２０６を軸として３０度以上傾いた際の携帯情報端末１００の姿勢を言う。この所定の姿勢が判断の基準となる基準データとして記憶部１０６に記憶されている。このときの基準データも上述したように、加速度計の傾きデータである。ここで、携帯情報端末１００が有する情報とは、例えばテキストデータ、画像データなどデータ通信が可能なものであればよい。
【００１８】
制御部１０３は、判断部１０２によって携帯情報端末１００の姿勢が所定の姿勢であると判断された場合に、携帯情報端末１００が有する情報を情報端末２００へ伝送する。また、制御部１０３は、後述する画像生成部１０４によって生成された自身画像情報を情報端末２００に表示させるために、自身画像情報及び自身画像情報の表示指示である表示指示信号を送信する。これにより、情報端末２００では自身画像情報に基づいて携帯情報端末１００を模した形状が表示される。ここで、携帯情報端末１００が移動した場合には、例えば磁気センサが移動後の携帯情報端末１００の３次元空間における位置を検出し、移動前の位置との差分を算出し、制御部１０３はその差分に応じて情報端末２００に表示されている自身画像情報を情報端末２００のディスプレイなどの表示部上を移動させるための信号を送信する。また、携帯情報端末１００が傾いた場合には、例えば加速度計が、傾き後の携帯情報端末１００の傾きを検知し、傾く前の傾きとの差分を算出し、制御部１０３はその差分に応じて情報端末２００に表示されている自身画像情報を情報端末２００のディスプレイなどの表示部上において傾かせるための信号を送信する。また、制御部１０３は、制御部１０３が携帯情報端末１００が有する情報を伝送した後に、判断部１０２によって携帯情報端末１００の姿勢が所定の姿勢であると判断された場合に、情報端末２００に伝送された情報を表示させるために、情報の表示指示である表示指示信号を送信する。これにより、情報端末２００では、携帯情報端末１００が有する情報が表示される。
【００１９】
ここで、情報端末２００における携帯情報端末１００が有する情報の表示について図３を用いて説明する。図３に示すように、後述する画像生成部１０４によって生成された自身画像情報に基づいて、情報端末２００のディスプレイ３００に携帯情報端末１００を模した形状（以下、携帯情報端末模式形状とも言う）３０１が表示されている。携帯情報端末１００のユーザが実際に携帯情報端末１００を動かし、ディスプレイ３００の矢印３０２の方向、すなわち画像上の世界ではない実際の世界ではユーザ側に倒す方向に携帯情報端末１００の底面の特定の一辺３０３を軸に傾けると、例えば加速度計が携帯情報端末１００の傾きを検知し、その傾きが所定の傾きである場合にディスプレイ３００には、転送された情報（ファイル３０４〜３０７）が表示される。ここで、特定の一辺３０３は、上述した携帯情報端末１００の底面２０１の一辺２０６に相当するものである。また、矢印３０２の方向は、上述したｙ軸の負の方向に相当する。これにより、ユーザは自分の居る側に携帯情報端末１００を傾けることによって、携帯情報端末１００内にある情報（ファイル３０４〜３０７）を閲覧することができる。
【００２０】
また、制御部１０３は、検知部１０５によって外部からの携帯電話端末１００に対する振動が検知された場合に、情報端末２００に表示されている情報を他の情報に切り替えさせるために、他の情報の表示指示である表示指示信号を送信する。ここでの振動とは、例えば携帯情報端末１００を叩くことによって生じる振動を言う。具体的に図４を用いて説明する。図４に示すように、携帯情報端末１００の上部を矢印４００の方向に叩くことによって、叩かれる前に情報端末２００のディスプレイ４０１に表示されていたファイル４０２〜４０５は、ファイル４０６〜４０９に切り替えられる。そして、情報端末２００のディスプレイ４０１には切り替えられたファイル４０６から４０９が表示される。
【００２１】
なお、携帯情報端末１００の下部から叩かれた場合には、上部を叩いた場合の逆順に切り替えられて一部のファイル一覧が表示される。また、ファイル一覧がマトリクス状に構成されている場合であって、携帯情報端末１００の正面向かって左側から叩かれた場合には、表示されている一部のファイル一覧は正面に向かって右方向にずれ、ずれた一部のファイル一覧の隣のファイル一覧が表示される。一方、右側から叩かれた場合には、表示されている一部のファイル一覧は正面に向かって左方向にずれ、ずれた一部のファイル一覧の他の隣のファイル一覧が表示される。また、上述したように、一定方向にスクロールさせるのではなく、携帯情報端末１００を回すことによってファイルをシャッフルしてファイル一覧を表示させるようにしてもよい。
【００２２】
また、制御部１０３は、携帯情報端末１００が有する情報と共に、後述する画像生成部１０４によって生成された伝送画像情報を情報端末２００において表示させるために、伝送画像情報及び伝送画像情報の表示指示である表示指示信号を送信する。これによって、携帯情報端末１００が有する情報を情報端末２００へ伝送する際に、携帯情報端末１００のユーザは視覚的に情報が伝送されていることを認識することができる。具体的に図５を用いて説明する。図５に示すように、携帯情報端末１００のユーザが携帯情報端末１００の底面の一辺５００を軸に矢印５０１の方向に傾けると、情報端末２００のディスプレイ５０２に表示された携帯情報端末模式形状５０３は傾き、情報端末２００を模した形状（以下、情報端末模式形状とも言う）５０４にファイルが転送されているように表示される。ここで、携帯情報端末１００の底面の一辺５００は、上述した携帯情報端末１００の底面２０１の一辺２０５に相当するものである。また、矢印５０１の方向は、上述したｘ軸の正の方向に相当する。また、図５に示す情報端末模式形状５０４に代えてファイルを貼り付けるアルバムを模した形状にし、伝送されたファイルをアルバムに次々と貼り付けるようにしてもよい。
【００２３】
画像生成部１０４は、上述したように、検出部１０１によって検出された携帯情報端末１００の姿勢に基づいて、携帯情報端末１００を視覚的に認識できる自身画像情報を生成する。具体的には、画像生成部１０４は、３次元空間における携帯情報端末１００の姿勢や携帯情報端末１００の大きさなどに基づいて、公知のグラフィック手法により自身画像情報を生成する。後述する伝送画像情報も同様に生成される。また、画像生成部１０４は、上述したように、制御部１０３が携帯情報端末１００が有する情報を伝送する際に、携帯情報端末１００から情報端末２００への情報の伝送過程を視覚的に認識できる伝送画像情報を生成する。検知部１０５は、上述したように、外部からの携帯情報端末１００に対する振動を検知する。記憶部１０６は、上述したように、基準データを記憶している。なお、基準データは携帯情報端末１００内で比較処理可能なようにデータ化されている。また、記憶部１０６は、上述した各部の動作を制御するためのプログラムも記憶している。ここで、上述した検出部１０１、判断部１０２、制御部１０３、画像生成部１０４、検知部１０５は、例えばＣＰＵに相当し、記憶部１０６は、例えばＨＤＤ、ＲＯＭ、ＲＡＭに相当する。
【００２４】
次に、本発明の実施の形態に係る携帯情報端末１００の処理フローについて図６を用いて説明する。図６に示すように、まず、携帯情報端末１００の検出部１０１は携帯情報端末１００の姿勢を検出する（ステップＳ６０１）。携帯情報端末１００の判断部１０２は、検出部１０１によって検出された携帯情報端末１００の姿勢を電気信号として受け取り、受け取った電気信号に基づいて特定される携帯情報端末１００の姿勢が所定の姿勢であるか否かを判断する（ステップＳ６０２）。携帯情報端末１００の制御部１０３は、判断部１０２によって携帯情報端末１００の姿勢が所定の姿勢であると判断された場合に、自身の所定の記憶領域に格納された情報を情報端末２００へ伝送する（ステップＳ６０３）。ここで、ステップＳ６０１において、検出部１０１によって検出された携帯情報端末１００の姿勢に基づいて、携帯情報端末１００の画像生成部１０４が携帯情報端末１００を視覚的に認識できる自身画像情報を生成し、生成された自身画像情報を情報端末２００に表示させるために、自身画像情報及び自身画像情報の表示指示である表示指示信号を制御部１０３によって送信するようにしてもよい。なお、ステップＳ６０２において所定の姿勢ではないと判断された場合には、ステップＳ６０３における情報の伝送をせずに終了する。
【００２５】
また、ステップＳ６０３の後、判断部１０２が検出部１０１によって検出された携帯情報端末１００の姿勢が所定の姿勢であるか否かを判断し、所定の姿勢であると判断した場合に、情報端末２００に伝送された情報を表示させるために、情報の表示指示である表示指示信号を制御部１０３によって送信するようにしてもよい。これは、上述した図３において説明したものに相当する。また、情報端末２００に情報が表示された状態で、携帯情報端末１００の検知部１０５が外部からの携帯情報端末１００に対する振動を検知した場合に、情報端末２００に表示されている情報を他の情報に切り替えさせるために、他の情報の表示指示である表示指示信号を制御部１０３によって送信するようにしてもよい。これは、上述した図４において説明したものに相当する。
【００２６】
また、ステップ６０３において、制御部１０３が携帯情報端末１００の所定の記憶領域に格納された情報を伝送する際に、携帯情報端末１００の画像生成部１０４が携帯情報端末１００から情報端末２００への情報の伝送過程を視覚的に認識できる伝送画像情報を生成し、携帯情報端末１００の所定の記憶領域に格納された情報と共に、生成された伝送画像情報を情報端末２００において表示させるために、伝送画像情報及び伝送画像情報の表示指示である表示指示信号を制御部１０３によって送信するようにしてもよい。これは、上述した図５において説明したものに相当する。なお、本発明の実施の形態に係る携帯情報端末１００は、所定の姿勢になったときに携帯情報端末１００の所定の記憶領域に格納された情報を伝送するなどの処理をしているが、携帯情報端末１００の姿勢に対応する命令信号を情報端末２００へ伝送するようにしてもよい。例えば、携帯情報端末１００が所定の姿勢になった場合に、情報端末２００にボリュームを下げさせる旨の命令信号を伝送するなどである。
【産業上の利用可能性】
【００２７】
本発明に係る携帯情報端末は、情報端末に接続した携帯情報端末自身をマウスのような入力装置として扱い、携帯情報端末の姿勢を変化させることにより、ファイルの閲覧や伝送を容易にすることができるため、自身の所定の記憶領域に格納された情報を情報端末に伝送して情報端末において閲覧可能とする携帯情報端末などに有用である。
【図面の簡単な説明】
【００２８】
【図１】本発明の実施の形態に係る携帯情報端末の構成について説明するための図である。
【図２】（ａ）本発明の実施の形態に係る携帯情報端末と携帯情報端末が有する情報を表示させる情報端末とがケーブルによって接続された閲覧システムを示す図である。  （ｂ）本発明の実施の形態に係る携帯情報端末における基準データについて説明するための図である。
【図３】本発明の実施の形態に係る携帯情報端末が有する情報の情報端末における表示について説明するための図である。
【図４】本発明の実施の形態に係る携帯情報端末が有する情報の情報端末における表示の切り替えについて説明するための図である。
【図５】本発明の実施の形態に係る携帯情報端末から情報端末への情報の転送過程を視覚的に示した場合について説明するための図である。
【図６】本発明の実施の形態に係る携帯情報端末の処理フローについて説明するためのフローチャートである。
【符号の説明】
【００２９】
１００  携帯情報端末（構造体）
１０１  検出部（検出手段）
１０２  判断部（判断手段）
１０３  制御部（制御手段）
１０４  画像生成部（画像生成手段）
１０５  検知部（検知手段）
１０６  記憶部
１０７  ケーブル
１０８  バス
２００  情報端末
２０１  携帯情報端末の底面
２０２  ｘｙ平面
２０３  携帯情報端末の側面
２０４  ｙｚ平面
２０５、２０６、３０３、５００  携帯情報端末の底面の一辺
３００、４０１、５０２  情報端末のディスプレイ
３０１、５０３  携帯模式形状
３０２、４００、５０１  矢印
３０４、３０５、３０６、３０７、４０２、４０３、４０４、４０５、４０６、４０７、４０８、４０９  ファイル
５０４  情報端末模式形状
【図１】
2005284657.tif 000003
【図２】
2005284657.tif 000004
【図３】
2005284657.tif 000005
【図４】
2005284657.tif 000006
【図５】
2005284657.tif 000007
【図６】
2005284657.tif 000008